(57)【要約】【課題】  商品コード以外の付加情報も取り込み表示再生を行うことで、動的な情報を除く情報以外は管理サーバへアクセスすることなく商品情報の参照を行う。【解決手段】  モバイル端末１（商品情報取得装置）が、ＩＣタグ１０から静的な商品情報を取り込んで表示再生を行い、また、取得した商品情報に含まれるアドレス情報を用い、モバイルネットワーク８経由で接続される商品管理サーバ２（商品情報管理装置）をアクセスして動的な商品情報を取り込む。【選択図】      図１
2005346193.tif 000002
【特許請求の範囲】
【請求項１】
商品に貼付される情報記録媒体に記録された商品情報を取り込む商品情報取得装置であって、
前記情報記録媒体から静的な商品情報を取り込む第１の商品情報取得部と、
前記取得した商品情報に含まれるアドレス情報を用い、無線ネットワーク経由で接続される商品情報管理装置をアクセスして動的な商品情報を取り込む第２の商品情報取得部と、
を具備することを特徴とする商品情報取得装置。
【請求項２】
前記記録媒体に無線で電力を供給し、前記静的な記録情報の取り込みを起動するＩＣタグ起動部と、
を具備することを特徴とする請求項１に記載の商品情報取得装置。
【請求項３】
商品に貼付され、当該商品の商品情報が記録された記録媒体と、前記商品情報を管理する商品情報管理装置と、前記記録媒体に記録された商品情報を読み込み、前記商品情報管理装置とは無線ネットワークを介して接続される商品情報取得端末とから成る商品情報管理システムであって、
前記商品情報取得装置は、前記情報記録媒体から静的な商品情報を取り込み、当該取得した商品情報に含まれるアドレス情報を用い、前記商品情報管理装置をアクセスする手段を備え、
前記アクセスを受信した商品情報管理装置は、前記静的な商品情報に関連する動的な商品管理情報を提供することを特徴とする商品情報管理システム。
【請求項４】
商品に貼付される情報記録媒体に記録された商品情報を商品情報取得装置が取り込む商品情報取得方法であって、
前記情報記録媒体から静的な商品情報を取り込む第１のステップと、
前記取得した商品情報に含まれるアドレス情報を用い、無線ネットワーク経由で接続される商品情報管理装置をアクセスして動的な商品情報を取り込む第２のステップと、
を有することを特徴とする商品情報取得方法。
【請求項５】
商品に貼付され、当該商品の商品情報が記録された記録媒体と、前記商品情報を管理する商品情報管理装置と、前記記録媒体に記録された商品情報を読み込み、前記商品情報管理装置とは無線ネットワークを介して接続される商品情報取得端末とから成る商品情報管理システムに用いられる商品情報管理方法であって、
前記商品情報管理装置が、前記情報記録媒体から静的な商品情報を取り込み、当該取得した商品情報に含まれるアドレス情報を用い、前記商品情報管理装置をアクセスするステップと、
前記アクセスを受信した商品情報管理装置が、前記静的な商品情報に関連する動的な商品管理情報を提供するステップと、
を有することを特徴とする商品情報管理システム。
【発明の詳細な説明】
【技術分野】
【０００１】
本発明は、商品に貼付される情報記録媒体に記録された商品情報を取り込む商品情報取得装置およびその方法、ならびに、情報センターにあって商品情報を管理する商品情報管理装置およびその方法に関する。
【背景技術】
【０００２】
流通の分野では、商品にバーコードやＩＣタグが貼付され、ＰＯＳ（Point Of Sales）のような専用端末を用いて商品情報を読み取り、商品管理や販売管理を行うことが行われている。また、モバイル端末によって商品コードを読み取り、取りこんだ商品情報および利用者識別情報をセンターへ送信し、在庫情報等を管理サーバに問い合わせることも行われている（例えば、特許文献１参照）。
【特許文献１】特開２００３−３１６９７８号公報
【発明の開示】
【発明が解決しようとする課題】
【０００３】
上記した特許文献１を含む従来技術によれば、専用端末やモバイル端末は、バーコードもしくは商品コードの取り込みを前提としており、商品に関する詳細な情報はセンターにある管理サーバをアクセスすることでしか参照することはではなかった。このため、ユーザは、管理サーバへアクセスするための独自のシステムを構築する必要があった。
【０００４】
本発明は上記事情に鑑みてなされたものであり、商品情報として商品コード以外の付加情報も取り込み表示再生を行うことで、在庫情報等動的な情報を除く情報以外は管理サーバへアクセスすることなく参照を可能とした、商品情報取得装置およびその方法、ならびに商品情報管理装置およびその方法を提供することを目的とする。
【課題を解決するための手段】
【０００５】
上記した課題を解決するために本発明は、商品に貼付される情報記録媒体に記録された商品情報を取り込む商品情報取得装置であって、前記情報記録媒体から静的な商品情報を取り込む第１の商品情報取得部と、前記取得した商品情報に含まれるアドレス情報を用い、無線ネットワーク経由で接続される商品情報管理装置をアクセスして動的な商品情報を取り込む第２の商品情報取得部と、を具備することを特徴とする。
なお、ここで、「静的な商品情報」とは、商品コードの他に、産地、製作者等商品コードに対応する商品の固定的な付加情報をいい、また、「動的な商品情報」とは、商品コードに対応する商品の在庫情報、入荷予定日等、動的に変化する情報をいう。
【０００６】
また、本発明において、前記記録媒体に無線で電力を供給し、前記静的な記録情報の取り込みを起動するＩＣタグ起動部と、を具備することを特徴とする。
【０００７】
また、本発明は、商品に貼付され、当該商品の商品情報が記録された記録媒体と、前記商品情報を管理する商品情報管理装置と、前記記録媒体に記録された商品情報を読み込み、前記商品情報管理装置とは無線ネットワークを介して接続される商品情報取得端末とから成る商品情報管理システムであって、前記商品情報取得装置は、前記情報記録媒体から静的な商品情報を取り込み、当該取得した商品情報に含まれるアドレス情報を用い、前記商品情報管理装置をアクセスする手段を備え、前記アクセスを受信した商品情報管理装置は、前記静的な商品情報に関連する動的な商品管理情報を提供することを特徴とする。
【０００８】
また、本発明は、商品に貼付される情報記録媒体に記録された商品情報を商品情報取得装置が取り込む商品情報取得方法であって、前記情報記録媒体から静的な商品情報を取り込む第１のステップと、前記取得した商品情報に含まれるアドレス情報を用い、無線ネットワーク経由で接続される商品情報管理装置をアクセスして動的な商品情報を取り込む第２のステップと、を有することを特徴とする。
【０００９】
また、本発明は、商品に貼付され、当該商品の商品情報が記録された記録媒体と、前記商品情報を管理する商品情報管理装置と、前記記録媒体に記録された商品情報を読み込み、前記商品情報管理装置とは無線ネットワークを介して接続される商品情報取得端末とから成る商品情報管理システムに用いられる商品情報管理方法であって、前記商品情報管理装置が、前記情報記録媒体から静的な商品情報を取り込み、当該取得した商品情報に含まれるアドレス情報を用い、前記商品情報管理装置をアクセスするステップと、前記アクセスを受信した商品情報管理装置が、前記静的な商品情報に関連する動的な商品管理情報を提供するステップと、を有することを特徴とする。
【発明の効果】
【００１０】
本発明によれば、商品情報取得装置が、情報記録媒体から静的な商品情報を取り込み、取得した商品情報に含まれるアドレス情報を用い無線ネットワーク経由で接続される商品情報管理装置をアクセスして動的な商品情報を取り込むことで、商品コード以外の、例えば、商品説明に関するテキスト情報、画像、音声等の付加情報も取り込み表示再生が可能であり、在庫情報等、動的な情報を除く情報以外は商品情報管理装置へアクセスすることなく参照を可能とした、商品情報取得装置ならびに商品情報管理システムを提供することができる。
また、本発明によれば、商品コードの他にＵＲＬ等のアドレス情報を取り込むことでモバイルインターネットワークを活用することができ、在庫情報等の動的な商品情報、あるいは商品に貼付された記録媒体では容量の問題等により実現できなかった商品カタログ等の参照も可能になる。
【発明を実施するための最良の形態】
【００１１】
以下、図面を参照しながら本発明実施形態について詳細に説明する。図１に、本発明の商品情報管理システムのシステム構成例を示す。
図１において、符号１は本発明の商品情報取得装置としてのモバイル端末である。モバイル端末１は、インターネット接続環境を備えた携帯電話やＰＤＡ（Personal Digital Assistants）であり、商品に貼付されるＩＣタグ１０に記録された商品コードおよびその付加情報（静的な情報）、ならびに動的な情報を参照するときに使用される商品管理装置として情報センターに設置される商品管理サーバ２のアドレス（Ｗｅｂアドレス／ＩＰアドレス）を取得して、内蔵する表示モニタへ表示再生を行う他に、基地局５、モバイルネットワーク８を経由して接続される商品管理サーバ２もしくは履歴管理サーバ４との交信を行う。
なお、ここで、「静的な商品情報」とは、商品コードの他に、産地、製作者等商品コードに対応する商品の固定的な付加情報をいい、後述する、「動的な商品情報」とは、商品コードに対応する商品の在庫情報、入荷予定日等、動的に変化する情報をいうものとする。
【００１２】
モバイル端末１は、上記したＷｅｂアドレスまたはＩＰアドレスを用いて商品管理サーバ２をアクセスし、商品コードをキーにした商品情報やカタログ等を取得でき、また、履歴管理サーバ４との間で商品購入の際における購入履歴等のやりとりを行う。
なお、商品管理サーバ２は、商品情報ＤＢ２１、決済情報ＤＢ２２を有しており、また、管理端末６が接続され、ここでアクセス履歴の管理が行われる。一方、履歴管理サーバ４には、有線のネットワーク７を介してユーザ端末３が接続される。ユーザ端末３は、例えば、モバイル端末１の所持者が管理しており、商品購入の後、ユーザＩＤ等の検索キーを入力することで購入履歴等を見ることができる。このため、履歴管理サーバ４は、購入履歴ＤＢ４１を持つ。
【００１３】
上記した各種ＤＢのデータ構造の一例を図４、図５に示す。図４（ａ）に示されるように、商品情報ＤＢ２１は、商品コード、商品種別、商品名、在庫数、入荷予定日、関連商品をデータ項目として持つ。また、図４（ｂ）に示されるように、決済情報ＤＢ２２は、決済番号、カード番号、Ｅ−ｍａｉｌアドレス、連絡先、決済日、引落予定日、予約番号をデータ項目として持つ。
決済情報ＤＢ２２は、更に、図５（ａ）に示されるように、商品コード、商品種別、商品名、購入年月日、数量、金額、購入場所についてもデータ項目として持つ。また、図５（ｂ）に示されるように、購入履歴ＤＢ４１は、商品コード、商品種別、商品名、購入年月日、数量、金額、購入場所をデータ項目として持つ。
【００１４】
図２は、商品に貼付されたＩＣタグから受信する記録情報の一例を示す図である。ここに示されるモバイル端末１は、無線情報送受信部を内蔵しており、ＩＣタグに電力を供給することで発信される記録情報を受信するものとする。
ここでは、デパートに陳列されたＣＤ、野菜、工具等商品のそれぞれにＩＣタグが貼付されているものとし、モバイル端末１は、それぞれのＩＣタグによって発信される、商品コード、静的な商品付加情報、動的な情報のアクセス先であるアドレス情報を取り込む。ここで、静的な商品付加情報として、ＣＤであれば、商品名、アーティスト名、アルバム名、サンプル、野菜であれば、商品名、賞味期限、内容量、産地、産地画像、工具であれば、商品名、製造年月、メーカ、使用方法等、不変のデータが挙げられる。これらは、テキストデータ、画像データ、音声データとして取り込まれ、モバイル端末１が持つ表示部あるいはスピーカ等の出力デバイスを介して表示再生される。ここでは、美農園で生産された野菜が画像表示されている。
【００１５】
図３は、モバイル端末の内部構成を中心に周辺の商品情報管理システムが示されている。図３中、図１に示すブロックと同一番号が付されたブロックは、図１に示すそれと同じであるため、ここでの説明は省略する。
モバイル端末１は、ＩＣタグ起動部１１と、商品情報取得部Ａ（１２）と、表示再生部１３と、商品情報取得依頼発行部１４と、商品情報取得部Ｂ（１５）で構成される。
【００１６】
ＩＣタグ起動部１１は、ＩＣタグ１０に無線で電力を供給し、静的な記録情報の取り込みを起動する機能を持つ。また、商品情報取得部Ａ（１２）は、ＩＣタグ１０から静的な商品情報を取り込み、表示再生部１３へ供給する。、表示再生部１３は、取り込まれた静的情報を表示再生する機能を持ち、テキスト表示の他に、画像表示、音声再生のための手段を備える。
一方、商品情報取得依頼発行部１４は、取得した静的な商品情報に含まれるアドレス情報を用い、モバイルネットワーク８経由で接続される商品管理サーバ２をアクセスする機能を持つ。商品管理サーバ２をアクセスして得られる動的な商品情報は、商品情報取得部Ｂ（１５）によって取り込まれる。
【００１７】
図６は、本発明実施形態の動作を示すシーケンス図であり、図７〜図１０は、そのシーケンスを構成する各ステップに関連して生成されるモバイル端末への画面表示の一例を示す図である。
以下、図６〜図１０を参照しながら、図１〜図５に示す本発明実施形態の動作について詳細に説明する。
【００１８】
まず、モバイル端末１は、図７（ａ）に示されるメニュー画面を開き、アイコンで表示されるＩＣタグを選択する。このことにより、画面は、図７（ｂ）に示されるＩＣタグメニューに遷移し、ここで、情報取り込みのアイコンを選択する。そして、商品に貼付されたＩＣタグ１０に近づくことによって電力を供給し、ＩＣタグ１０による電波の発信を促す。これは、ＩＣタグ起動部１１によって実行される（Ｓ６１）。
この結果、ＩＣタグ１０から発信される静的な情報は、商品情報取得部Ａ（１２）によって取り込まれる（Ｓ６２）。また、引き続き次の商品から静的な商品情報が取り込まれる（Ｓ６３）。このように、商品は複数陳列されており、連続してそれぞれに貼付されたＩＣタグ１０から商品情報が読み取られるが、輻輳制御は従来からある技術が用いられており、ここでは、順次、商品情報が読み取られるものとする。
【００１９】
ここで読み取られた静的な商品情報は表示再生部１３に供給され、テキストや画像についてはモバイル端末１内蔵の表示モニタを介して表示し、音声については内蔵のスピーカを駆動する（Ｓ６４）。表示例を図８（ａ）に示す。
ここでは、ＩＣタグ１０に記録されているデジタルカメラの仕様が画像入りで紹介されている。続いて、編集ボタン（図示せず）を操作することにより、図８（ｂ）に示す編集サブメニュー画面に遷移し、ここで、取り込んだ静的な商品情報の登録、あるいは削除が実行される（Ｓ６５）。ここでは、マイページに一覧登録するボタンと一覧から削除するボタンが示されている。
【００２０】
一方、静的な商品情報を閲覧してその商品に興味を持った場合、ユーザは、モバイル端末１の画面下に示される、静的な商品情報を取り込んだ商品のＵＲＬ（Uniform Resource Locator）を選択してモバイルネットワーク８経由で商品管理サーバ２をアクセスして動的な商品情報の取得依頼を発行する（Ｓ６６）。これは、商品情報取得依頼発行部１４が実行する。なお、ここでは通知されるＵＲＬ（Ｗｅｂアドレス）に基づき商品管理サーバ２をアクセスするとしたが、ＩＰアドレスでも同様である。
これを受けた該当商品管理サーバ２は、要求のあったモバイル端末１に対して図９（ａ）に示す商品情報入力画面を送信し、商品コードまたは商品名の入力要求を発行する。モバイル端末１は、この画面を表示して要求された商品情報の入力または選択を行う（Ｓ６７、Ｓ６８）。商品コード入力画面の一例を図９（ｂ）、商品コードの選択画面の一例を図１０（ａ）に示す。ここで、必要な情報が入力、あるいは選択されることで、動的な商品情報を得たい商品の商品コードが商品管理サーバ２へ送信される（Ｓ６９）。
【００２１】
商品情報管理サーバ２は、通知された商品コードをキーに商品情報ＤＢ２１を参照して対応する商品の在庫情報や入荷予定日等、動的な商品情報の検索を行い（Ｓ７０）、要求のあったモバイル端末１へ送信する（Ｓ７１）。
モバイル端末１は、これを、商品情報取得部１５を介して受信し、表示再生部１３へ供給して動的商品情報の表示もしくは再生を行う（Ｓ７２）。図１０（ｂ）に動的商品情報の表示再生の一例が示されている。
以上により、商品情報についての取得処理は終了するが、引き続き、購入の意思を表明し、決済のための処理を実行しても良い。これらの処理については本発明の主旨から外れるため、ここでは説明を省略する。最後に、上記した作業終了に伴い商品管理サーバ２とのコネクションを切断して商品情報の取得処理を終える。
【００２２】
以上説明のように本発明は、モバイル端末１が、ＩＣタグ１０から静的な商品情報を取り込んで表示再生を行い、また、取得した商品情報に含まれるアドレス情報を用い、モバイルネットワーク８経由で接続される商品管理サーバ２をアクセスして動的な商品情報を取り込むことで、商品コード以外の、例えば、商品説明に関するテキスト情報、画像、音声等の付加情報も取り込み表示再生を可能とするものであり、在庫情報等、動的な情報を除く情報以外は商品管理管理サーバ２へアクセスすることなく参照を可能とした、商品情報取得装置ならびに商品情報管理システムを提供するものである。
【００２３】
また、本発明によれば、静的な商品情報として、商品コードの他にＵＲＬ等のアドレス情報を取り込むことでモバイルネットワーク８を活用することができ、在庫情報等の動的な商品情報、あるいは商品に貼付されたＩＣタグ１０では容量の問題等により実現できなかった商品カタログ等の参照が可能になる。
なお、上記した本発明実施形態によれば、商品情報記録媒体としてＩＣタグ１０を用いたが、無線タグ、ＲＦＩＤタグと称されるＩＣと同義であり、また、バーコードを用いた場合にも同様に実現が可能である。
【図面の簡単な説明】
【００２４】
【図１】本発明実施形態に係わる商品情報管理システムのシステム構成の一例を示す図である。
【図２】商品に貼付されたＩＣタグから受信する記録情報の一例を示す図である。
【図３】本発明実施形態に係わる商品情報取得装置の内部構成を示すブロック図である。
【図４】本発明実施形態で使用されるＤＢのデータ構造の一例を示す図である。
【図５】本発明実施形態で使用されるＤＢのデータ構造の一例を示す図である。
【図６】本発明実施形態の動作を示すシーケンス図である。
【図７】本発明実施形態で使用される画面構成の一例を示す図である。
【図８】本発明実施形態で使用される画面構成の一例を示す図である。
【図９】本発明実施形態で使用される画面構成の一例を示す図である。
【図１０】本発明実施形態で使用される画面構成の一例を示す図である。
【符号の説明】
【００２５】
１…モバイル端末（商品情報取得装置）、２…商品情報管理サーバ（商品情報管理装置）、８…モバイルネットワーク、１０…ＩＣタグ、１１…ＩＣタグ起動部、１２…商品情報取得部Ａ、１３…表示再生部、１４…商品情報取得依頼発行部、１５…商品情報取得部Ｂ、２１…商品情報ＤＢ
【図１】
2005346193.tif 000003
【図２】
2005346193.tif 000004
【図３】
2005346193.tif 000005
【図４】
2005346193.tif 000006
【図５】
2005346193.tif 000007
【図６】
2005346193.tif 000008
【図７】
2005346193.tif 000009
【図８】
2005346193.tif 000010
【図９】
2005346193.tif 000011
【図１０】
2005346193.tif 000012